【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
ダイナミックコンテンツ転送（ＤＣＤ）システムにおけるサーバからクライアント端末にコンテンツをアップデートする方法であって、
アップデートに有効な１つ以上のコンテンツを通知する第１メッセージをサーバからクライアント端末へ送信するステップと、
前記第１メッセージに応答して、前記クライアント端末から前記サーバへ、少なくとも一つのアップデートされたコンテンツを要求する第２メッセージを送信するステップと、
前記第２メッセージに応答して前記サーバから前記クライアントに第３メッセージを送信するステップであって、前記第３メッセージは前記第２メッセージにより要求されたコンテンツまたはそのアドレスを含むものである、前記ステップと、
を含むことを特徴とするコンテンツアップデート方法。
【請求項２】
前記第１メッセージは、前記サーバと前記クライアント端末との間のセッションを識別するセッション−ＩＤを含むことを特徴とする請求項１に記載のコンテンツアップデート方法。
【請求項３】
前記第１メッセージは、チャネル−ＩＤ及び／又はコンテンツ−ＩＤを含むことを特徴とする請求項１に記載のコンテンツアップデート方法。
【請求項４】
前記第２メッセージは、チャネル−ＩＤ及び／又はコンテンツ−ＩＤを含むことを特徴とする請求項３に記載のコンテンツアップデート方法。
【請求項５】
前記第３メッセージに含まれるか、前記第３メッセージにより参照されたコンテンツに対するコンテンツアップデートの結果を提供する第４メッセージを前記クライアント端末から前記サーバへ送信するステップと、
前記サーバが第４メッセージを受信するステップと、
を更に含むことを特徴とする請求項１に記載のコンテンツアップデート方法。
【請求項６】
前記第１メッセージと前記第３メッセージのうちのどれか１つは前記第４メッセージを要求する情報を含むことを特徴とする請求項５に記載のコンテンツアップデート方法。
【請求項７】
ダイナミックコンテンツ転送（ＤＣＤ）システムにおけるサーバからクライアント端末にコンテンツをアップデートする方法であって、
前記クライアント端末がアップデートに有効な１つ以上のコンテンツを通知する通知メッセージを受信した時か、またはオンデマンド型コンテンツアップデート要求時に、少なくとも１つのアップデートされたコンテンツを要求する要求メッセージを、前記クライアント端末から前記サーバへ送信するステップと、
前記サーバが前記要求メッセージを受信し、かつ前記要求メッセージに応答して応答メッセージを送信するステップであって、前記要求メッセージは、前記要求メッセージによって要求されたコンテンツかまたはそのアドレスを含むものである、前記ステップと、
前記クライアント端末が前記応答メッセージを受信するステップと、
を含むことを特徴とするコンテンツアップデート方法。
【請求項８】
前記通知メッセージは、前記サーバと前記クライアント端末との間のセッションを識別するセッション−ＩＤを含むことを特徴とする請求項７に記載のコンテンツアップデート方法。
【請求項９】
前記通知メッセージは、チャネル−ＩＤ及び／又はコンテンツ−ＩＤを含むことを特徴とする請求項７に記載のコンテンツアップデート方法。
【請求項１０】
前記要求メッセージは、チャネル−ＩＤ及び／又はコンテンツ−ＩＤを含むことを特徴とする請求項９に記載のコンテンツアップデート方法。
【請求項１１】
前記応答メッセージに含まれるか前記応答メッセージにより参照されたコンテンツに対するコンテンツアップデートの結果を提供する確認メッセージを、前記クライアント端末から前記サーバへ送信するステップと、
前記サーバが前記確認メッセージを受信するステップと、
を更に含むことを特徴とする請求項７に記載のコンテンツアップデート方法。
【請求項１２】
前記通知メッセージと前記応答メッセージのうちのどれか１つは、前記確認メッセージを要求する情報を含むことを特徴とする請求項１１に記載のコンテンツアップデート方法。
【請求項１３】
サーバからクライアント端末にコンテンツをアップデートするダイナミックコンテンツ転送（ＤＣＤ）システムであって、
前記サーバは、アップデートに有効な１つ以上のコンテンツを通知する第１メッセージを前記クライアント端末へ送信し、第１メッセージに応答した少なくとも１つのアップデートされたコンテンツを要求する第２メッセージを前記クライアント端末から受信し、更に前記第２メッセージに応答するために第３メッセージを送信し、前記第３メッセージは前記第２メッセージによって要求されたコンテンツまたはそのアドレスを含むものである、前記サーバと、
前記クライアント端末は、前記サーバから前記第１メッセージを受信し、前記第２メッセージを前記サーバへ送信し、前記サーバから前記第３メッセージを受信する、前記クライアント端末と、
を含むことを特徴とするダイナミックコンテンツ転送システム。
【請求項１４】
前記第１メッセージは、前記サーバと前記クライアント端末との間のセッションを識別するセッション−ＩＤを含むことを特徴とする請求項１３に記載のダイナミックコンテンツ転送システム。
【請求項１５】
前記第１メッセージは、チャネル−ＩＤ及び／又はコンテンツ−ＩＤを含むことを特徴とする請求項１３に記載のダイナミックコンテンツ転送システム。
【請求項１６】
前記第２メッセージは、チャネル−ＩＤ及び／又はコンテンツ−ＩＤを含むことを特徴とする請求項１５に記載のダイナミックコンテンツ転送システム。
【請求項１７】
前記第３メッセージにより参照されたコンテンツに対するコンテンツアップデートの結果を提供する第４メッセージを前記クライアント端末から前記サーバへ送信することを特徴とする請求項１３に記載のダイナミックコンテンツ転送システム。
【請求項１８】
前記第１メッセージと前記第３メッセージのうちのどれか１つは前記第４メッセージを要求する情報を含むことを特徴とする請求項１７に記載のダイナミックコンテンツ転送システム。
【請求項１９】
ダイナミックコンテンツ転送（ＤＣＤ）システムにおけるサーバがクライアント端末にコンテンツをアップデートする方法であって、
アップデートに有効な１つ以上のコンテンツを通知する第１メッセージを前記クライアント端末へ送信するステップと、
前記クライアント端末からの前記第１メッセージに応答した少なくとも一つのアップデートされたコンテンツを要求する第２メッセージを前記クライアント端末から受信するステップと、
前記第２メッセージに応答するために第３メッセージを送信するステップであって、前記第３メッセージは、前記第２メッセージによって要求されたコンテンツかまたはそのアドレスを含む前記ステップと、
を含むことを特徴とするコンテンツアップデート方法。
【請求項２０】
前記第１メッセージは、前記サーバと前記クライアント端末との間のセッションを識別するセッション−ＩＤを含むことを特徴とする請求項１９に記載のコンテンツアップデート方法。
【請求項２１】
前記第１メッセージは、チャネル−ＩＤ及び／又はコンテンツ−ＩＤを含むことを特徴とする請求項１９に記載のコンテンツアップデート方法。
【請求項２２】
前記第２メッセージは、チャネル−ＩＤ及び／又はコンテンツ−ＩＤを含むことを特徴とする請求項２１に記載のコンテンツアップデート方法。
【請求項２３】
前記第３メッセージに含まれるか、前記第３メッセージにより参照されたコンテンツに対するコンテンツアップデートの結果を提供する第４メッセージを前記クライアント端末から前記サーバへ送信するステップ、を更に含むことを特徴とする請求項１９に記載のコンテンツアップデート方法。
【請求項２４】
前記第１メッセージと前記第３メッセージのうちのどれか１つは前記第４メッセージを要求する情報を含むことを特徴とする請求項２３に記載のコンテンツアップデート方法。
【請求項２５】
ダイナミックコンテンツ転送（ＤＣＤ）システムにおけるクライアント端末がサーバからコンテンツのアップデートを受ける方法であって、
アップデートに有効な１つ以上のコンテンツを通知する第１メッセージを前記サーバから受信するステップと、
前記第１メッセージに応答して、少なくとも１つアップデートされたコンテンツアップデートを前記サーバに要求する第２メッセージを送信するステップと、
前記サーバから、前記第２メッセージに応答した第３メッセージを受信するステップであって、前記第３メッセージは前記第２メッセージにより要求されたコンテンツかまたはそのアドレスを含むものである、前記ステップと、
を含むことを特徴とするコンテンツアップデート方法。
【請求項２６】
前記第１メッセージは、前記サーバと前記クライアント端末との間のセッションを識別するセッション−ＩＤを含むことを特徴とする請求項２５に記載のコンテンツアップデート方法。
【請求項２７】
前記第１メッセージは、チャネル−ＩＤ及び／又はコンテンツ−ＩＤを含むことを特徴とする請求項２５に記載のコンテンツアップデート方法。
【請求項２８】
前記第２メッセージは、チャネル−ＩＤ及び／又はコンテンツ−ＩＤを含むことを特徴とする請求項２７に記載のコンテンツアップデート方法。
【請求項２９】
前記第３メッセージに含まれるか、前記第３メッセージにより参照されたコンテンツに対するコンテンツアップデートの結果を提供する第４メッセージを送信するステップを更に含むことを特徴とする請求項２５に記載のコンテンツアップデート方法。
【請求項３０】
前記第１メッセージと前記第３メッセージのうちのどれか１つは前記第４メッセージを要求する情報を含むことを特徴とする請求項２９に記載のコンテンツアップデート方法。
【請求項３１】
ダイナミックコンテンツ転送（ＤＣＤ）システムにおけるクライアント端末がサーバからコンテンツのアップデートを受ける方法であって、
アップデートに有効な１つ以上のコンテンツを通知する通知メッセージが受信された時か、またはオンデマンド型コンテンツアップデート要求時に、少なくとも１つのアップデートされたコンテンツを要求する要求メッセージを、前記サーバへ送信するステップと、  前記要求メッセージに応答するための応答メッセージを、前記サーバから受信するステップであって、前記応答メッセージは、前記要求メッセージによって要求されたコンテンツかまたはそのアドレスを含むものである、前記ステップと、
を含むことを特徴とするコンテンツアップデート方法。
【請求項３２】
前記通知メッセージは、前記サーバと前記クライアント端末との間のセッションを識別するセッション−ＩＤを含むことを特徴とする請求項３１に記載のコンテンツアップデート方法。
【請求項３３】
前記通知メッセージは、チャネル−ＩＤ及び／又はコンテンツ−ＩＤを含むことを特徴とする請求項３１に記載のコンテンツアップデート方法。
【請求項３４】
前記要求メッセージは、チャネル−ＩＤ及び／又はコンテンツ−ＩＤを含むことを特徴とする請求項３３に記載のコンテンツアップデート方法。
【請求項３５】
前記応答メッセージに含まれるか、前記応答メッセージにより参照されたコンテンツに対するコンテンツアップデートの結果を提供する確認メッセージを前記サーバへ送信するステップを更に含むことを特徴とする請求項３１に記載のコンテンツアップデート方法。
【請求項３６】
前記要求メッセージと前記応答メッセージのうちのどれか１つは前記確認メッセージを要求する情報を含むことを特徴とする請求項３５に記載のコンテンツアップデート方法。
【請求項３７】
前記第１メッセージはコンテンツサイズに関する情報を含むことを特徴とする、請求項１に記載のコンテンツアップデート方法。